(57)【要約】【課題】  別部品を用いずに、ケース本体に対する外装カバーのめくれを防ぐことができるケースおよびそれを備えた時計を提供する。【解決手段】  硬質材料で形成されたケース本体２と、軟質の合成樹脂で形成されてケース本体２の上部および外周部にこれらを覆って装着された外装カバー３と、硬質の合成樹脂で形成されて外装カバー３の内面に埋め込まれ、ケース本体２に対する外装カバー３の内周側のめくれを防ぐ補強部材１１と、を備えている。従って、別部品を用いずに、ケース本体２に対する外装カバー３のめくれを防ぐことができる。【選択図】        図３
2018179674.tif 000002
【特許請求の範囲】
【請求項１】
硬質材料で形成されたケース本体と、
軟質の合成樹脂で形成されて前記ケース本体の上部および外周部にこれらを覆って装着された外装カバーと、
硬質の合成樹脂で形成されて前記外装カバーの内面に埋め込まれ、前記ケース本体に対する前記外装カバーの内周側のめくれを防ぐ補強部材と、
を備えていることを特徴とするケース。
【請求項２】
請求項１に記載のケースにおいて、前記補強部材は、前記ケース本体の上端部に対応する第１補強部と、前記ケース本体の前記上端部の外周面に対応する第２補強部と、前記ケース本体の上部外周に設けられた切欠き部に対応する第３補強部と、を備えていることを特徴とするケース。
【請求項３】
請求項１または請求項２に記載のケースにおいて、前記補強部材は、前記外装カバーがその上方から衝撃を受けた際に、その衝撃を逃す衝撃逃し部を備えていることを特徴とするケース。
【請求項４】
請求項２に記載のケースにおいて、前記補強部材は、前記第１補強部、前記第２補強部、および前記外装カバーがその上方から衝撃を受けた際に、その衝撃を逃す衝撃逃し部の変形を規制する変形規制部を備えていることを特徴とするケース。
【請求項５】
請求項４に記載のケースにおいて、前記変形規制部は、前記外装カバーの外周部側の内面に配置されて前記ケース本体の上部外周に設けられた切欠き部の上面に対応する第１規制部と、前記第２補強部と前記第１規制部とに梁渡されて相互の変形を規制する複数の第２規制部と、を備えていることを特徴とするケース。
【請求項６】
請求項１〜請求項５のいずれかに記載のケースにおいて、前記補強部材は、前記外装カバーが食込んで固着する複数の食込み孔を備えていることを特徴とするケース。
【請求項７】
請求項２、４、５のいずれかに記載のケースにおいて、前記補強部材は、少なくとも前記第１補強部の内周側の縁部が前記外装カバーの内周側の外部に露出することを特徴とするケース。
【請求項８】
請求項１〜請求項７のいずれかに記載されたケースを備えていることを特徴とする時計。
【発明の詳細な説明】
【技術分野】
【０００１】
この発明は、腕時計、携帯電話機、携帯情報端末機などの電子機器に用いられるケースおよびそれを備えた時計に関する。
【背景技術】
【０００２】
例えば、腕時計ケースにおいては、特許文献１に記載されているように、金属製のケース本体の上部外周に軟質合成樹脂製の外装カバーを設け、この外装カバーの上部に金属製の押え部材を配置し、この押え部材によって外装カバーをケース本体に固定するように構成されたものが知られている。
【先行技術文献】
【特許文献】
【０００３】
【特許文献１】特開２０００−３２９８６９号公報
【０００４】
この種の腕時計ケースは、金属製の押え部材を複数のビスによってケース本体に取り付けることにより、外装カバーを押え部材によってケース本体に押え付けて、軟質合成樹脂製の外装カバーがケース本体に対してめくれないように構成されている。
【発明の概要】
【発明が解決しようとする課題】
【０００５】
しかしながら、このような腕時計ケースでは、軟質合成樹脂製の外装カバーがケース本体に対してめくれないように取り付けるために、金属製の押え部材を用いて外装カバーをケース本体に押え付ける必要があり、このため別部品としての部品点数が増えるという問題がある。
【０００６】
この発明が解決しようとする課題は、別部品を用いずに、ケース本体に対する外装カバーのめくれを防ぐことができるケースおよびそれを備えた時計を提供することである。
【課題を解決するための手段】
【０００７】
この発明は、硬質材料で形成されたケース本体と、軟質の合成樹脂で形成されて前記ケース本体の上部および外周部にこれらを覆って装着された外装カバーと、硬質の合成樹脂で形成されて前記外装カバーの内面に埋め込まれ、前記ケース本体に対する前記外装カバーの内周側のめくれを防ぐ補強部材と、を備えていることを特徴とするケースである。
【発明の効果】
【０００８】
この発明によれば、別部品を用いずに、ケース本体に対する外装カバーのめくれを防ぐことができる。
【図面の簡単な説明】
【０００９】
【図１】この発明を腕時計に適用した第１実施形態を示した拡大正面図である。
【図２】図１に示された腕時計の９時側における要部を示した拡大斜視部である。
【図３】図２に示された腕時計ケースのＡ−Ａ矢視における要部を示した拡大断面図である。
【図４】図２に示された腕時計ケースのＢ−Ｂ矢視における要部を示した拡大断面図である。
【図５】図３に示された腕時計ケースの補強部材を示し、（ａ）はその補強部材を上方から見た拡大斜視図、（ｂ）はその補強部材を下方から見た拡大斜視図である。
【図６】この発明を腕時計に適用した第２実施形態において、腕時計の９時側における要部を示した拡大斜視部である。
【図７】図６に示された腕時計ケースのＣ−Ｃ矢視における要部を示した拡大断面図である。
【図８】図６に示された腕時計ケースのＤ−Ｄ矢視における要部を示した拡大断面図である。
【図９】図７に示された腕時計ケースの補強部材を示し、（ａ）はその補強部材を上方から見た拡大斜視図、（ｂ）はその補強部材を下方から見た拡大斜視図である。
【発明を実施するための形態】
【００１０】
（第１実施形態）
以下、図１〜図５を参照して、この発明を腕時計に適用した第１実施形態について説明する。
この腕時計は、図１〜図４に示すように、腕時計ケース１を備えている。この腕時計ケース１は、ケース本体２と外装カバー３とで構成されている。
【００１１】
この腕時計ケース１の上部開口部、つまりケース本体２の上部開口部には、図１〜図４に示すように、時計ガラス４がガラスパッキン４ａを介して取り付けられている。この腕時計ケース１の下部、つまりケース本体２の下部には、裏蓋（図示せず）が取り付けられている。また、この腕時計ケース１の内部、つまりケース本体２の内部には、時計モジュール（図示せず）が設けられている。
【００１２】
この腕時計ケース１の１２時側と６時側とには、図１に示すように、時計バンド（図示せず）が取り付けられるバンド取付部５がそれぞれ設けられている。また、この腕時計ケース１の２時側、３時側、４時側、８時側、および１０時側には、スイッチ部６がそれぞれ設けられている。
【００１３】
ところで、腕時計ケース１のケース本体２は、図３および図４に示すように、第１ケース部７と第２ケース部８とで構成されている。第１ケース部７は、ステンレスなどの金属または硬質の合成樹脂によって、全体がほぼ筒状に形成されている。この第１ケース部７は、その内部に時計モジュール（図示せず）が配置され、外周部に複数のスイッチ部６（図１参照）が取り付けられるように構成されている。
【００１４】
第２ケース部８は、図３および図４に示すように、ステンレスなどの金属によって、全体がほぼリング状に形成され、第１ケース部７の上部に防水リング７ａを介して取り付けられている。すなわち、この第２ケース部８は、第１ケース部７の上部に取り付けられるリング状のベース部８ａと、このベース部８ａ上に起立して設けられたリング状の壁部８ｂと、を備えている。
【００１５】
これにより、第２ケース部８は、図３および図４に示すように、壁部８ｂの内周側と外周側とに切欠き部がそれぞれ形成されている。これにより、第２ケース部８は、壁部８ｂの内周側に位置する切欠き部の内周面に時計ガラス４がガラスパッキン４ａを介して取り付けられ、壁部８ｂの外周側に位置する切欠き部に後述する外装カバー３の内面の一部が配置されるように構成されている。
【００１６】
一方、外装カバー３は、図１〜図４に示すように、ポリウレタンなどの軟質の合成樹脂によって形成され、ケース本体２の上部および外周部にこれらを覆って取り付けられるように構成されている。すなわち、この外装カバー３は、ケース本体２の第２ケース部８の上部および外周部から第１ケース部７の外周部に亘ってこれらを覆い、この状態でバンド取付部５の各両側部に位置する箇所が複数のビス１０によって第２ケース部８に取り付けられるように構成されている。
【００１７】
また、この外装カバー３は、図１に示すように、複数のビス１０が取り付けられるバンド取付部５の各両側部に位置する箇所と、３時側に位置する箇所と、９時側に位置する箇所とが、その内周側と外周側とに突出する形状に形成されている。これにより、外装カバー３は、図２〜図４に示すように、その内周側に突出した部分が、時計ガラス４の外周に位置する縁部から時計ガラス４の上面に亘って配置されるように構成されている。
【００１８】
この場合、外装カバー３の３時側と９時側とに位置する箇所は、図１および図２に示すように、その径方向の長さがバンド取付部５の各両側部における径方向の長さよりも長く形成されている。また、３時側と９時側とに位置する箇所の外装カバー３の各内周部は、その径方向の各両側部３ａを除いて切欠き部３ｂがそれぞれ設けられている。
【００１９】
この外装カバー３は、図１および図２に示すように、バンド取付部５の各両側部に位置する箇所がビス１０によって固定されることにより、バンド取付部５の各両側部に位置する箇所の内周部が時計ガラス４に対してめくれないように取り付けられている。また、この外装カバー３は、３時側と９時側とに位置する箇所の内周部が時計ガラス４に対してめくれ易くなっている。
【００２０】
このため、この外装カバー３は、図３〜図５に示すように、３時側と９時側とに位置する箇所の内周面にその内周部のめくれを防ぐための補強部材１１がそれぞれ埋め込まれている。すなわち、この補強部材１１は、ポリアミドやポリカーボネートなどの剛性の高い合成樹脂によって外装カバー３と一体に形成されている。また、この補強部材１１は、第１〜第３の補強部１２〜１４を備えている。
【００２１】
第１補強部１２は、図３〜図５に示すように、上部水平板部であり、外装カバー３の内周部側に位置する下面に配置されて、ケース本体２の第２ケース部８における壁部８ｂの上端部および時計ガラス４の外周部に対応するように構成されている。また、この第１補強部１２は、その内周部が外装カバー３の内周部と同じ形状に形成されている。
【００２２】
すなわち、この第１補強部１２は、図２〜図５に示すように、その内周部が外装カバー３の内周部における径方向の両側部３ａとその間に設けられた切欠き部３ｂとに対する形状に形成されている。これにより、第１補強部１２は、その内周部および両側部の各縁部が外装カバー３の内周側の外部に露出するように構成されている。また、この第１補強部１２には、外装カバー３が食込んで固着する円形状の複数の第１食込み孔１２ａが径方向（長手方向）に沿って所定間隔で設けられている。
【００２３】
第２補強部１３は、図３〜図５に示すように、縦板部であり、外装カバー３の内面に配置されて、ケース本体２の第２ケース部８における壁部８ｂの外周面８ｃに対応するように構成されている。この第２補強部１３は、第１補強部１２の外周端部から第２ケース部８の壁部８ｂの外周面８ｃに沿ってベース部８ａの上面に到達する状態で、第１補強部１２と一体に形成されている。この第２補強部には、外装カバー３が食込んで固着する四角形状の複数の第２食込み孔１３ａが径方向に沿って所定間隔で設けられている。
【００２４】
第３補強部１４は、図３〜図５に示すように、下部水平板部であり、外装カバー３の外周側に位置する下面に配置されて、ケース本体２の第２ケース部８における壁部８ｂの外周側に設けられた切欠き部に位置するベース部８ａの上面に対応するように構成されている。
【００２５】
すなわち、この第３補強部１４は、図３〜図５に示すように、第２補強部１３の下端部から第２ケース部８における壁部８ｂの外周側に設けられた切欠き部に位置するベース部８ａの外周端部に亘った状態で、第２補強部１３と一体に形成されている。この第３補強部１４には、外装カバー３が食込んで固着する円形状の複数の第３食込み孔１４ａが径方向に沿って所定間隔で設けられている。
【００２６】
また、この補強部材１１は、図３〜図５に示すように、外部からの衝撃を逃す衝撃逃し部１５を備えている。この衝撃逃し部１５は、径方向に長い板状部であり、第２補強部１３の上端部に位置した状態で、第１補強部１２の上面にその上方に突出した状態で一体に形成されている。
【００２７】
この衝撃逃し部１５にも、図３〜図５に示すように、外装カバー３が食込んで固着する円形状の複数の第４食込み孔１５ａが、径方向に沿って所定間隔で設けられている。これにより、衝撃逃し部１５は、外装カバー３が上方から衝撃を受けた際に、その衝撃を外装カバー３の内周側と外周側とに分散させて逃すと共に、複数の第４食込み孔１５ａによって衝撃を緩衝するように構成されている。
【００２８】
一方、補強部材１１は、図３〜図５に示すように、第１〜第３の補強部１２〜１４、および衝撃逃し部１５の各変形を規制する変形規制部１６を備えている。この変形規制部１６は、第１規制部である第３補強部１４と複数の第２規制部１７とを備えている。第１規制部である第３補強部１４は、下部水平板部であり、外装カバー３の外周側に位置する下面に配置されて、ケース本体２の第２ケース部８における壁部８ｂの外周側に設けられた切欠き部に位置するベース部８ａの上面に対応するように構成されている。
【００２９】
複数の第２規制部１７は、図４および図５に示すように、第２補強部１３の外周面と第１規制部である第３補強部１４の上面とに梁渡された三角形状の梁部であり、第２補強部１３と第３補強部１４とに一体に形成されている。すなわち、これら複数の第２規制部１７は、第２補強部１３と第３補強部１４とにおける径方向の両側部と、この両側部の間で且つ第３補強部１４の複数の第３食込み孔１４ａ間に位置する箇所に設けられ、第２補強部１３と第３補強部１４との相互の変形を規制するように構成されている。
【００３０】
さらに、この補強部材１１の径方向（長手方向）の両側部には、図２および図５に示すように、装飾部１８がそれぞれ一体に形成されている。これら装飾部１８は、第１補強部１２の長手方向の両側部から第２補強部１３の長手方向の両側部を経て第２規制部１７に到達する鍔状部である。これら装飾部１８は、第１補強部１２と同様、その両側部の縁部が外装カバー３の外部に露出するように構成されている。
【００３１】
この場合、補強部材１１は、外装カバー３と同じ色であっても良いが、図２に示すように、外装カバー３と異なる色であることが望ましい。これにより、補強部材１１は、第１補強部１２の内周部と装飾部１８の両側部との各縁部が外装カバー３と異なる色で外装カバー３の外部に露出することにより、デザイン的なアクセントになるように構成されている。
【００３２】
次に、この腕時計ケース１の作用について説明する。
この腕時計ケース１の外装カバー３と補強部材１１とは、２色成型によって一体に形成されている。このため、外装カバー３と補強部材１１とを２色成型によって形成する場合には、まず、第１の成型用金型で補強部材１１を成型する。
【００３３】
この場合、第１の成型用金型は、上金型と下金型とを備えている。これら上金型と下金型とで補強部材１１を成型する。そして、上金型と下金型とを離型する際には、成型された補強部材１１を下金型内に残した状態で、上金型のみを離型して取り外す。この後、第２の成型用金型で外装カバー３を成型する。
【００３４】
この第２の成型用金型で外装カバー３を成型する際には、補強部材１１が取り残された第１の成型用金型の下金型に第２の成型用金型の上金型を重ね合わせ、この状態で外装カバー３を成型する。これにより、補強部材１１が外装カバー３の内周面に埋め込まれた状態で、補強部材１１と外装カバー３とが一体に形成される。このときには、補強部材１１に設けられた第１〜第４の食込み孔１２ａ〜１５ａに外装カバー３が食い込んで形成される。
【００３５】
このようにして補強部材１１が一体に成型された外装カバー３をケース本体２に取り付ける場合には、ケース本体２の第２ケース部８の上部および外周部から第１ケース部７の外周部に亘って外装カバー３を装着する。この状態で、バンド取付部５の各両側部に位置する箇所を複数のビス１０によって第２ケース部８に取り付けられている。これにより、腕時計ケース１が組み立てられる。
【００３６】
このように組み立てられた腕時計ケース１は、外装カバー３に埋め込まれた補強部材１１の第１補強部１２が第２ケース部８における壁部８ｂの上端部に対応して配置され、第２補強部１３が第２ケース部８における壁部８ｂの外周面８ｃに対応して配置される。また、変形規制部１６の第１規制部を兼ねる第３補強部１４は、第２ケース部８における壁部８ｂの外周側に位置するベース部８ａの上面に対応して配置される。
【００３７】
このときには、補強部材１１の第１補強部１２の内周部と装飾部１８の両側部との各縁部が外装カバー３の外部に露出して配置される。このため、補強部材１１が外装カバー３と異なる色で形成されていることにより、第１補強部１２の内周部と装飾部１８の両側部との各縁部が外装カバー３と異なる色で外装カバー３の外部に露出する。これにより、デザイン的なアクセントになり、デザイン性が向上する。
【００３８】
この状態で、腕時計ケース１の外装カバー３の内周部にこれをめくれるような外力が加わった際には、補強部材１１がポリアミドやポリカーボネートなどの剛性の高い合成樹脂によって外装カバー３と一体に形成され、かつ補強部材１１に設けられた第１〜第４の食込み孔１２ａ〜１５ａに外装カバー３が食い込んで固着されるので、この補強部材１１によって外装カバー３の内周部がめくれることがない。
【００３９】
すなわち、外装カバー３の内周部にこれをめくれるような外力が加わると、その外力によって補強部材１１の第１補強部１２の内周部が押し上げられようとするが、第２補強部１３が第２ケース部８の壁部８ｂの外周面８ｃに当接することにより、第１補強部１２が押し上げられることがない。このため、外装カバー３の内周部がめくれることがない。
【００４０】
また、このときには、変形規制部１６によって第１補強部１２と第２補強部１３との変形を防ぐことができる。すなわち、この変形規制部１６は、第１規制部である第３補強部１４が第２ケース部８の外周側の切欠き部に位置するベース部８ａの上面に当接し、複数の第２規制部１７が第１規制部である第３補強部１４と第２補強部１３とに梁渡されている。
【００４１】
このため、第２補強部１３が第２ケース部８の壁部８ｂの外周面８ｃに当接した状態で、第１補強部１２の内周部が押し上げられようとする際には、変形規制部１６の第１規制部である第３補強部１４と第２規制部１７とによって、第２補強部１３の外周側への変形が阻止されるため、第１補強部１２が押し上げられることがない。
【００４２】
これにより、外装カバー３の内周部にこれをめくれるような外力が加わり、その外力によって補強部材１１の第１補強部１２の内周部が押し上げられようとしても、第２、第３の補強部１３、１４および変形規制部１６によって、第１補強部１２の内周部が押し上げられるのを阻止して、外装カバー３のめくれを確実に防ぐことができる。
【００４３】
また、外装カバー３がその上方から衝撃を受けた際には、外装カバー３が弾性変形して衝撃を緩衝すると共に、補強部材１１の衝撃逃し部１５が衝撃を外装カバー３の内周側と外周側とに分散させて逃すことができる。このときにも、変形規制部１６によって第２補強部１３の外周側への変形が確実に阻止されるので、衝撃逃し部１５が衝撃を外装カバー３の内周側と外周側とに分散させて良好に逃すことができる。また、外装カバー３が弾性変形して衝撃を緩衝する際には、衝撃逃し部１５に設けられた複数の第４食込み孔１５ａによっても衝撃を緩衝する。
【００４４】
このように、この腕時計ケース１によれば、硬質材料で形成されたケース本体２と、軟質の合成樹脂で形成されてケース本体２の上部および外周部にこれらを覆って装着された外装カバー３と、硬質の合成樹脂で形成されて外装カバー３の内面に埋め込まれ、ケース本体２に対する外装カバー３の内周側のめくれを防ぐ補強部材１１と、を備えていることにより、押え部材などの別部品を用いずに、ケース本体２に対する外装カバー３のめくれを確実に防ぐことができ、これにより外装カバー３をケース本体２に良好に取り付けることができる。
【００４５】
すなわち、この腕時計ケース１では、補強部材１１がポリアミドやポリカーボネートなどの剛性の高い硬質の合成樹脂によって形成されて、外装カバー３の内面に埋め込まれているので、外装カバー３の内周部にこれをめくれるような外力が加わっても、補強部材１１によって外装カバー３の内周部のめくれを確実に防ぐことができる。
【００４６】
この場合、補強部材１１は、外装カバー３の内周部に配置されてケース本体２の第２ケース部８の上端部に対応する第１補強部１２と、外装カバー３の内面に配置されて第２ケース部８の壁部８ｂの外周面８ｃに対応する第２補強部１３と、外装カバー３の外周側の内面に配置されて第２ケース部８の外周側に位置する切欠き部に対応するベース部８ａの上面に対応する第３補強部１４と、を備えていることにより、外装カバー３の内周部にこれをめくれるような外力が加わっても、補強部材１１の第１〜第３の補強部１２〜１４によって外装カバー３の内周部のめくれを確実に防ぐことができる。
【００４７】
すなわち、この補強部材１１は、外装カバー３の内周部にこれをめくれるような外力が加わった際に、その外力によって第１補強部１２の内周部が押し上げられようとするが、第２補強部１３が第２ケース部８の壁部８ｂの外周面８ｃに当接することにより、第１補強部１２が押し上げられるのを確実に防ぐことができる。また、このときには、第３補強部１４が第２ケース部８の外周側に位置するベース部８ａの上面に当接することにより、第２補強部１３の外周側への変形を抑制することができる。
【００４８】
また、この補強部材１１は、外装カバー３がその上方から衝撃を受けた際に、その衝撃を逃す衝撃逃し部１５を備えていることにより、外装カバー３がその上方から衝撃を受けると、外装カバー３が弾性変形して衝撃を緩衝することができると共に、衝撃逃し部１５がその上方からの衝撃を外装カバー３の内周側と外周側とに分散させて逃すことができるので、外部からの衝撃を効率良く良好に緩衝することができる。
【００４９】
この場合、補強部材１１は、第１〜第３の補強部１２〜１４および衝撃逃し部１５の各変形を規制する変形規制部１６を備えていることにより、外装カバー３の内周部にこれをめくれるような外力が加わった際、または外装カバー３がその上方から衝撃を受けた際に、変形規制部１６によって第１〜第３の補強部１２〜１４および衝撃逃し部１５が変形するのを確実に防ぐことができる。
【００５０】
すなわち、この変形規制部１６は、外装カバー３の外周部側の内面に配置されて第２ケース部８の外周側に位置する切欠き部に対応するベース部８ａの上面に対応する第１規制部である第３補強部１４と、第２補強部１３と第１規制部である第３補強部１４とに梁渡されて相互の変形を規制する第２規制部１７と、を備えていることにより、外装カバー３の内周部にこれをめくれるような外力が加わった際、または外装カバー３がその上方から衝撃を受けた際に、その外力や衝撃によって第１〜第３の補強部１２〜１４および衝撃逃し部１５の各変形を確実に防ぐことができる。
【００５１】
この場合、変形規制部１６は、第１規制部である第３補強部１４が第２ケース部８のベース部８ａの上面に押し当てられ、第２規制部１７が第２補強部１３と第１規制部である第３補強部１４とに梁渡されているので、外装カバー３の内周部にこれをめくれるような外力が加わった際、または外装カバー３がその上方から衝撃を受けた際に、その外力や衝撃によって第２補強部１３が外周側に向けて変形するのを確実に防ぐことができ、これにより衝撃逃し部１５の撓み変形を防ぐことができる。
【００５２】
また、この補強部材１１は、外装カバー３が食込んで固着する第１〜第４の食込み孔１２ａ〜１５ａを備えていることにより、外装カバー３に補強部材１１を埋め込んだ際に、外装カバー３を第１〜第４の食込み孔１２ａ〜１５ａに食い込ませることができるので、補強部材１１を外装カバー３に確実にかつ強固に固着させることができる。
【００５３】
このため、この補強部材１１では、外装カバー３の内周部にこれをめくれるような外力が加わっても、外装カバー３が第１補強部１２に強固に固定されているので、外装カバー３のめくれを確実に防ぐことができると共に、外装カバー３にその上方から衝撃が加わった際に、外装カバー３で衝撃を緩衝することができると共に、第１〜第４の食込み孔１２ａ〜１５ａによっても衝撃を緩衝することができる。
【００５４】
さらに、この腕時計ケース１では、補強部材１１の第１補強部１２の内周側の縁部が外装カバー３の内周側の外部に露出することにより、第１補強部１２の内周側の縁部を外装カバー３の外部から見ることができ、これによりデザイン性を向上させることができる。すなわち、補強部材１１と外装カバー３とを異なる色で形成することにより、第１補強部１２の内周部の縁部を外装カバー３の外部に露出させることにより、デザイン的なアクセントになるため、デザイン性を高めることができる。
【００５５】
（第２実施形態）
次に、図６〜図９を参照して、この発明を腕時計に適用した第２実施形態について説明する。なお、図１〜図５に示された第１実施形態と同一部分には同一符号を付して説明する。
この腕時計は、図６〜図９に示すように、腕時計ケース１の補強部材２０における変形規制部２１が第１実施形態と異なる構造であり、これ以外は第１実施形態とほぼ同じ構造になっている。
【００５６】
すなわち、この補強部材２０は、第１実施形態と同様、ポリアミドやポリカーボネートなどの剛性の高い合成樹脂によって外装カバー３と一体に形成されている。この補強部材２０は、図６〜図９に示すように、第１〜第３の補強部１２〜１４、衝撃逃し部１５、および装飾部１８を備えている。また、この補強部材２０には、第１〜第３の補強部１２〜１４および衝撃逃し部１５の各変形を規制するための変形規制部２１が一体に形成されている。
【００５７】
この変形規制部２１は、図７〜図９に示すように、第１規制部である第３補強部１４と複数の第２規制部２２とを備えている。第１規制部である第３補強部１４は、下部水平板部であり、第１実施形態と同様、外装カバー３の外周側に位置する下面に配置されて、ケース本体２の第２ケース部８における壁部８ｂの外周側に設けられた切欠き部に位置するベース部８ａの上面に対応するように構成されている。
【００５８】
この第１規制部である第３補強部１４は、図７〜図９に示すように、第１実施形態と同様、第２補強部１３の下端部から第２ケース部８における壁部８ｂの外周側に設けられた切欠き部に位置するベース部８ａの外周端部に亘った状態で、第２補強部１３と一体に形成されている。この第１規制部である第３補強部１４には、外装カバー３が食込んで固着する円形状の複数の第３食込み孔１４ａが径方向に沿って所定間隔で設けられている。
【００５９】
複数の第２規制部２２は、図８および図９に示すように、第２補強部１３の外周面と第１規制部である第３補強部１４の上面とに架け渡された角棒状の梁部であり、第２補強部１３と第３補強部１４との径方向（長手方向）に沿って等間隔で設けられている。このため、第１規制部である第３補強部１４には、複数の第３食込み孔１４ａが複数の第２規制部２２間に位置して設けられている。
【００６０】
また、第２補強部１３と第１規制部である第３補強部１４との角部と、これに対応する複数の第２規制部２２との間には、図８および図９に示すように、三角形状の第２食込み孔２２ａが設けられている。また、第２補強部１３には、複数の第２規制部２２が所定間隔で設けられているため、この第２補強部１３には、食込み孔が設けられていない。
【００６１】
この場合にも、補強部材２０は、図６に示すように、外装カバー３と異なる色で形成されていることが望ましい。これにより、補強部材２０は、第１実施形態と同様、第１補強部１２の内周部と装飾部１８の両側部との各縁部が外装カバー３と異なる色で外装カバー３の外部に露出することにより、デザイン的なアクセントになるように構成されている。
【００６２】
次に、この腕時計ケース１の作用について説明する。
この腕時計ケース１の外装カバー３と補強部材２０とは、２色成型によって一体に形成されている。このため、外装カバー３と補強部材１１とを２色成型によって形成する場合には、第１実施形態と同様、まず、第１の成型用金型で補強部材２０を成型する。
【００６３】
この場合には、第１の成型用金型の下金型内に、第２補強部１３と第１規制部である第３補強部１４との角部と、これに対応する複数の第２規制部２２との間の三角形状の第２食込み孔２２ａを形成するためのスライドコアを配置する。そして、第１の成型用金型の上金型と下金型とで補強部材２０を成型し、この成型した補強部材２０とスライドコアとを下金型内に残した状態で、上金型のみを離型して取り外す。
【００６４】
この後、第１実施形態と同様、補強部材２０が取り残された第１の成型用金型の下金型に第２の成型用金型の上金型を重ね合わせ、この状態で外装カバー３を成型する。そして、成型した補強部材２０とスライドコアとを第１の成型用金型の下金型内に残した状態で、第２の成型用金型の上金型を離型する。この状態で、第１の成型用金型の下金型内に設けられたスライドコアをスライドさせて取り出すことにより、第１の成型用金型の下金型内から、成型された補強部材２０を取り出すことができる。
【００６５】
これにより、補強部材２０の第２補強部１３と第１規制部である第３補強部１４との角部と、これに対応する複数の第２規制部２２との間に三角形状の第２食込み孔２２ａが形成された補強部材２０が、外装カバー３の内周面に埋め込まれた状態で、補強部材２０と外装カバー３とが一体に形成される。このときには、補強部材２０に設けられた第１〜第４の食込み孔１２ａ、２２ａ、１４ａ、１５ａに外装カバー３が食い込んで形成される。
【００６６】
このように補強部材２０が一体に形成された外装カバー３をケース本体２に取り付ける場合には、第１実施形態と同様、ケース本体２の第２ケース部８の上部および外周部から第１ケース部７の外周部に亘って外装カバー３を装着する。この状態で、バンド取付部５の各両側部に位置する箇所を複数のビス１０によって第２ケース部８に取り付けられている。これにより、腕時計ケース１が組み立てられる。
【００６７】
このような腕時計ケース１は、第１実施形態と同様、外装カバー３に埋め込まれた補強部材２０の第１補強部１２が第２ケース部８における壁部８ｂの上端部に対応して配置され、第２補強部１３が第２ケース部８における壁部８ｂの外周面に対応して配置される。また、変形規制部２１の第１規制部を兼ねる第３補強部１４が第２ケース部８における壁部８ｂの外周側に位置するベース部８ａの上面に対応して配置される。
【００６８】
このときには、補強部材２０は、第１補強部１２の内周部と装飾部１８の両側部との各縁部が外装カバー３の外部に露出して配置される。このため、補強部材２０が外装カバー３と異なる色で形成されていることにより、第１補強部１２の内周部と装飾部１８の両側部との各縁部が外装カバー３と異なる色で外装カバー３の外部に露出する。これにより、デザイン的なアクセントになり、デザイン性が向上する。
【００６９】
この状態で、腕時計ケース１の外装カバー３の内周部にこれをめくれるような外力が加わった際には、第１実施形態と同様、補強部材２０がポリアミドやポリカーボネートなどの剛性の高い合成樹脂によって外装カバー３と一体に形成され、かつ補強部材２０に設けられた第１〜第４の食込み孔１２ａ、２２ａ、１４ａ、１５ａに外装カバー３が食い込んで固着されるので、この補強部材２０によって外装カバー３の内周部がめくれることがない。
【００７０】
すなわち、外装カバー３の内周部にこれをめくれるような外力が加わると、第１実施形態と同様、その外力によって補強部材２０の第１補強部１２の内周部が押し上げられようとするが、第２補強部１３が第２ケース部８の壁部８ｂの外周面８ｃに当接することにより、第１補強部１２が押し上げられることがない。このため、外装カバー３の内周部がめくれることがない。
【００７１】
また、このときには、変形規制部２１によって第１補強部１２と第２補強部１３との変形を防ぐことができる。すなわち、この変形規制部２１は、第１規制部である第３補強部１４が第２ケース部８の外周側の切欠き部に位置するベース部８ａの上面に当接し、複数の第２規制部２２が第１規制部である第３補強部１４と第２補強部１３とに梁渡されている。
【００７２】
このため、第２補強部１３が第２ケース部８の壁部８ｂの外周面８ｃに当接した状態で、第１補強部１２の内周部が押し上げられようとする際には、変形規制部２１の第１規制部である第３補強部１４と第２規制部２２とによって、第２補強部１３の外周側への変形が阻止されるため、第１補強部１２が押し上げられるのを防ぐことができる。
【００７３】
これにより、外装カバー３の内周部にこれをめくれるような外力が加わり、その外力によって補強部材２０の第１補強部１２の内周部が押し上げられようとしても、第２、第３の補強部１３、１４および変形規制部２１によって、第１補強部１２の内周部が押し上げられるのを阻止して、外装カバー３のめくれを確実に防ぐことができる。
【００７４】
また、外装カバー３がその上方から衝撃を受けた際には、外装カバー３が弾性変形して衝撃を緩衝すると共に、補強部材２０の衝撃逃し部１５が衝撃を外装カバー３の内周側と外周側とに分散させて逃すことができる。このときにも、変形規制部２１によって第２補強部１３の外周側への変形が確実に阻止されるので、衝撃逃し部１５が衝撃を外装カバー３の内周側と外周側とに分散させて良好に逃すことができる。また、外装カバー３が弾性変形して衝撃を緩衝する際には、衝撃逃し部１５に設けられた複数の第４食込み孔１５ａによっても衝撃を緩衝する。
【００７５】
このように、この腕時計ケース１によれば、硬質材料で形成されたケース本体２と、軟質の合成樹脂で形成されてケース本体２の上部および外周部にこれらを覆って装着された外装カバー３と、硬質の合成樹脂で形成されて外装カバー３の内面に埋め込まれ、ケース本体２に対する外装カバー３のめくれを防ぐ補強部材２０と、を備えていることにより、第１実施形態と同様、押え部材などの別部品を用いずに、ケース本体２に対する外装カバー３のめくれを確実に防ぐことができ、これにより外装カバー３をケース本体２に良好に取り付けることができる。
【００７６】
すなわち、この腕時計ケース１においても、第１実施形態と同様、補強部材２０がポリアミドやポリカーボネートなどの剛性の高い硬質の合成樹脂によって形成されて、外装カバー３の内面に埋め込まれているので、外装カバー３の内周部にこれをめくれるような外力が加わっても、補強部材２０によって外装カバー３の内周部のめくれを確実に防ぐことができる。
【００７７】
この場合にも、補強部材２０は、外装カバー３の内周部に配置されてケース本体２の第２ケース部８の上端部に対応する第１補強部１２と、外装カバー３の内面に配置されて第２ケース部８の壁部８ｂの外周面８ｃに対応する第２補強部１３と、外装カバー３の外周側の内面に配置されて第２ケース部８の外周側に位置する切欠き部に対応するベース部８ａの上面に対応する第３補強部１４と、を備えていることにより、外装カバー３の内周部にこれをめくれるような外力が加わっても、補強部材２０の第１〜第３の補強部１２〜１４によって外装カバー３の内周部のめくれを確実に防ぐことができる。
【００７８】
この場合、補強部材２０は、第１〜第３の補強部１２〜１４、および衝撃逃し部１５の各変形を規制する変形規制部２１を備えていることにより、外装カバー３の内周部にこれをめくれるような外力が加わった際、または外装カバー３がその上方から衝撃を受けた際に、その外力や衝撃によって第１〜第３の補強部１２〜１４および衝撃逃し部１５が変形するのを確実に防ぐことができる。
【００７９】
すなわち、この変形規制部２１は、外装カバー３の外周部側に配置されて第２ケース部８の外周側に位置する切欠き部に対応するベース部８ａの上面に対応する第１規制部である第３補強部１４と、第２補強部１３と第１規制部である第３補強部１４とに梁渡されて相互の変形を規制する第２規制部２２と、を備えていることにより、外装カバー３の内周部にこれをめくれるような外力が加わった際、または外装カバー３がその上方から衝撃を受けた際に、その外力や衝撃によって第１〜第３の補強部１２〜１４、および衝撃逃し部１５の各変形を確実に防ぐことができる。
【００８０】
この場合、変形規制部２１は、第１規制部である第３補強部１４が第２ケース部８のベース部８ａの上面に押し当てられ、第２規制部２２が第２補強部１３と第３補強部１４とに梁渡されているので、外装カバー３の内周部にこれをめくれるような外力が加わった際、または外装カバー３がその上方から衝撃を受けた際に、その外力や衝撃によって第２補強部１３が外周側に向けて変形するのを確実に防ぐことができる。
【００８１】
また、この補強部材２０は、外装カバー３が食込んで固着する第１〜第４の食込み孔１２ａ、２２ａ、１４ａ、１５ａを備えていることにより、第１実施形態と同様、外装カバー３に補強部材１１を埋め込んだ際に、外装カバー３を第１〜第４の食込み孔１２ａ、２２ａ、１４ａ、１５ａに食い込ませることができるので、補強部材２０を外装カバー３に確実にかつ強固に固着させることができ、これにより外装カバー３の内周部のめくれを確実に防ぐことができる。
【００８２】
なお、上述した第１、第２の実施形態では、ケース本体２を第１ケース部７と第２ケース部８とで構成し、第２ケース部８の上部外周に切欠き部を設けた場合について述べたが、この発明はこれに限らず、例えばケース本体を単体で形成し、その上部外周に切欠き部を設けた構成であっても良い。
【００８３】
また、上述した第１、第２の実施形態では、変形規制部１６、２１の第１規制部を兼ねる第３補強部１４を第２ケース部８のベース部８ａの上面に直接当接させた場合について述べたが、この発明はこれに限らず、例えば第１規制部を兼ねる第３補強部１４と第２ケース部８のベース部８ａの上面との間に外装カバー３の一部が配置されるように、第１規制部を兼ねる第３補強部１４を外装カバー３内に埋め込んだ構造であっても良い。
【００８４】
さらに、上述した第１、第２の実施形態では、腕時計に適用した場合について述べたが、必ずしも腕時計である必要はなく、例えばトラベルウオッチ、目覚まし時計、置き時計、掛け時計などの各種の時計に適用することができる。また、この発明は必ずしも時計である必要はなく、例えば携帯電話機、携帯情報端末機などの電子機器にも適用することができる。
【００８５】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８６】
（付記）
請求項１に記載の発明は、硬質材料で形成されたケース本体と、軟質の合成樹脂で形成されて前記ケース本体の上部および外周部にこれらを覆って装着された外装カバーと、硬質の合成樹脂で形成されて前記外装カバーの内面に埋め込まれ、前記ケース本体に対する前記外装カバーの内周側のめくれを防ぐ補強部材と、を備えていることを特徴とするケースである。
【００８７】
請求項２に記載の発明は、請求項１に記載のケースにおいて、前記補強部材は、前記ケース本体の上端部に対応する第１補強部と、前記ケース本体の前記上端部の外周面に対応する第２補強部と、前記ケース本体の上部外周に設けられた切欠き部に対応する第３補強部と、を備えていることを特徴とするケースである。
【００８８】
請求項３に記載の発明は、請求項１または請求項２に記載のケースにおいて、前記補強部材は、前記外装カバーがその上方から衝撃を受けた際に、その衝撃を逃す衝撃逃し部を備えていることを特徴とするケースである。
【００８９】
請求項４に記載の発明は、請求項２に記載のケースにおいて、前記補強部材は、前記第１補強部、前記第２補強部、および前記外装カバーがその上方から衝撃を受けた際に、その衝撃を逃す衝撃逃し部の変形を規制する変形規制部を備えていることを特徴とするケースである。
【００９０】
請求項５に記載の発明は、請求項４に記載のケースにおいて、前記変形規制部は、前記外装カバーの外周部側の内面に配置されて前記ケース本体の上部外周に設けられた切欠き部の上面に対応する第１規制部と、前記第２補強部と前記第１規制部とに梁渡されて相互の変形を規制する複数の第２規制部と、を備えていることを特徴とするケースである。
【００９１】
請求項６に記載の発明は、請求項１〜請求項５のいずれかに記載のケースにおいて、前記補強部材は、前記外装カバーが食込んで固着する複数の食込み孔を備えていることを特徴とするケースである。
【００９２】
請求項７に記載の発明は、請求項２、４、５のいずれかに記載のケースにおいて、前記補強部材は、少なくとも前記第１補強部の内周側の縁部が前記外装カバーの内周側の外部に露出することを特徴とするケースである。
【００９３】
請求項８に記載の発明は、請求項１〜請求項７のいずれかに記載されたケースを備えていることを特徴とする時計である。
【符号の説明】
【００９４】
１  腕時計ケース
２  ケース本体
３  外装カバー
４  時計ガラス
７  第１ケース部
８  第２ケース部
８ａ  ベース部
８ｂ  壁部
８ｃ  外周面
１０  ビス
１１、２０  補強部材
１２  第１補強部
１２ａ  第１食込み孔
１３  第２補強部
１３ａ、２２ａ  第２食込み孔
１４  第３補強部（第１規制部）
１４ａ  第３食込み孔
１５  衝撃逃し部
１５ａ  第４食込み孔
１６、２１  変形規制部
１７、２２  第２規制部
１８  装飾部
【図１】
2018179674.tif 000003
【図２】
2018179674.tif 000004
【図３】
2018179674.tif 000005
【図４】
2018179674.tif 000006
【図５】
2018179674.tif 000007
【図６】
2018179674.tif 000008
【図７】
2018179674.tif 000009
【図８】
2018179674.tif 000010
【図９】
2018179674.tif 000011
【手続補正書】
【提出日】平成30年3月26日(2018.3.26)
【手続補正１】
【補正対象書類名】明細書
【補正対象項目名】０００７
【補正方法】変更
【補正の内容】
【０００７】
この発明は、ケース本体と、合成樹脂で形成されて前記ケース本体の上部および外周部にこれらを覆って装着された外装カバーと、前記外装カバーよりも硬い合成樹脂で形成されて前記外装カバーの内面に埋め込まれ、前記ケース本体に対する前記外装カバーの内周側のめくれを防ぐ補強部材と、を備えていることを特徴とするケースである。
【手続補正２】
【補正対象書類名】特許請求の範囲
【補正対象項目名】全文
【補正方法】変更
【補正の内容】
【特許請求の範囲】
【請求項１】
ケース本体と、
合成樹脂で形成されて前記ケース本体の上部および外周部にこれらを覆って装着された外装カバーと、
前記外装カバーよりも硬い合成樹脂で形成されて前記外装カバーの内面に埋め込まれ、前記ケース本体に対する前記外装カバーの内周側のめくれを防ぐ補強部材と、
を備えていることを特徴とするケース。
【請求項２】
請求項１に記載のケースにおいて、前記補強部材は、前記ケース本体の上端部に対応する第１補強部と、前記ケース本体の前記上端部の外周面に対応する第２補強部と、前記ケース本体の上部外周に設けられた切欠き部に対応する第３補強部と、を備えていることを特徴とするケース。
【請求項３】
請求項１または請求項２に記載のケースにおいて、前記補強部材は、前記外装カバーがその上方から衝撃を受けた際に、その衝撃を逃す衝撃逃し部を備えていることを特徴とするケース。
【請求項４】
請求項２に記載のケースにおいて、前記補強部材は、前記第１補強部、前記第２補強部、および前記外装カバーがその上方から衝撃を受けた際に、その衝撃を逃す衝撃逃し部と、前記衝撃逃し部の変形を規制する変形規制部と、を備えていることを特徴とするケース。
【請求項５】
請求項４に記載のケースにおいて、前記変形規制部は、前記外装カバーの外周部側の内面に配置されて、前記ケース本体の上部外周に設けられた切欠き部の上面に対応する第１規制部と、前記第２補強部と前記第１規制部とに梁渡されて、前記第２補強部と前記第１規制部との相互の変形を規制する複数の第２規制部と、を備えていることを特徴とするケース。
【請求項６】
請求項１〜請求項５のいずれかに記載のケースにおいて、前記補強部材は、前記外装カバーが食込んで固着する複数の食込み孔を備えていることを特徴とするケース。
【請求項７】
請求項２、４、５のいずれかに記載のケースにおいて、前記補強部材は、少なくとも前記第１補強部の内周側の縁部が前記外装カバーの内周側の外部に露出することを特徴とするケース。
【請求項８】
請求項１〜請求項７のいずれかに記載されたケースを備えていることを特徴とする時計。